(57)【要約】【課題】汚れた部分だけを簡単に取り外して洗浄することで繰り返し使用できる便利な汚れ防護パネルを提供する。【解決手段】調理の際の煙や油の飛び散り等による壁面の汚れを防止するための汚れ防護パネルであって、壁面に貼着した磁石３と、当該磁石３に吸着されて壁面を細かく区分けして覆う複数の角状金属板１で構成される。前記角状金属板１の所定の縁部に段部２を設け、隣接する角状金属板１の縁部が相互に重なるように構成した。本構成では、壁面の内、特に汚れの付着し易い部分のみを自由に覆うことができ、且つ、角状金属板１は磁石３により個々に着脱自在であるから、清掃は取り外して容易に行える。【選択図】　　図２
2004053226.tif 000002
【特許請求の範囲】
【請求項１】
調理の際の煙や油の飛び散り等による壁面の汚れを防止するための汚れ防護パネルであって、
壁面に貼着した磁石と、当該磁石に吸着されて壁面を細かく区分けして覆う複数の角状金属板で構成されることを特徴とする汚れ防護パネル。
【請求項２】
前記角状金属板の所定の縁部に段部を設け、隣接する角状金属板の縁部が相互に重なるように構成したことを特徴とする請求項１に記載の汚れ防護パネル。
【請求項３】
前記角状金属板がステンレス製、またはフッ素コーティング等の表面加工を施した鉄製であることを特徴とする請求項１または請求項２の何れかに記載の汚れ防護パネル。
【発明の詳細な説明】
【０００１】
【発明の属する技術分野】
本発明は、調理の際の煙や油の飛び散り等による壁面への汚れの付着を防止する汚れ防護パネルに関するものである。
【０００２】
【従来の技術】
近年、キッチンはインテリアを重視してシステムキッチン等が設置されることが多くなり、周囲の壁面も重厚な光沢を備えたステンレス板や色彩豊かな陶器質のタイル等が貼られて、装飾性に豊むモダンな空間が構築されている。
【０００３】
ところで、レンジを使用して調理を行う場合、レンジの上部に換気フードが設置されていても、長期の間には発生する油の飛び散りや煙等により、レンジの周辺部、特にレンジ奥側の壁面に汚れが付着し、折角の美しいキッチンを不潔なものにしてしまう忌まわしさは誰もが経験しているところである。
壁面に付着した油汚れは頑固であり、レンジの手前から奥側に手を延ばして壁面の隅々まで綺麗に清掃するのはなかなか骨が折れる作業である。特に、タイルの目地に付着した油汚れ等はブラシやスポンジを用いてもなかなか綺麗に取り除くことはできない。
【０００４】
【発明が解決しようとする課題】
このような調理の際に発生する油の飛び散りや煙による汚れの付着を防護するものとして、レンジの周辺に立て掛けて使用するアルミ箔の衝立等が市販されているが、これだけでは壁面の汚れを完全に防止することはできず、加えて、この衝立も使い捨てであることから、少々不経済の感があった。また、汚れた衝立をそのままの状態で長期に亘って使用していては不潔感が増すばかりである。
【０００５】
本発明は、上記した問題点を解消し、汚れた部分だけを簡単に取り外して清掃することで繰り返し綺麗に使用できる便利な汚れ防護パネルを提供することを目的としている。
【０００６】
【課題を解決するための手段】
すなわち、請求項１に記載の発明は、調理の際の煙や油の飛び散り等による壁面の汚れを防止するための汚れ防護パネルであって、壁面に貼着した磁石と、当該磁石に吸着されて壁面を細かく区分けして覆う複数の角状金属板で構成される。
本構成では、キッチン等の壁面で、特に汚れが付着し易い部分を任意の範囲で覆うことができ、且つ、磁石により金属板が個々に着脱自在としてあるから、清掃は特に汚れの激しい部分だけを取り外して行うことができ、極めて合理的である。また、角状金属板はサイズが小さいから、食器等と一緒に食器洗い機で洗浄することもできる。
【０００７】
また、請求項２に記載の発明は、請求項１に記載の汚れ防護パネルにおいて、前記角状金属板の所定の縁部に段部を設け、隣接する角状金属板の縁部が相互に重なるように構成した。
本構成では、相接する角状金属板の繋ぎ部分が２重構造となるから、汚れの原因が角状金属板の繋ぎ目から下地の壁面に漏れることを防止できる。
【０００８】
更に、請求項３に記載の発明は、請求項１または請求項２の何れかに記載の汚れ防護パネルにおいて、前記角状金属板をステンレス製、またはフッ素コーティング等の表面加工を施した鉄製とした。
ステンレス板金や鉄板は磁石の付きも良いことから、壁面への固着も安定し、且つ、比較的汚れが付着し難く、付着した汚れは容易に清掃することができる。
【０００９】
【発明の実施の形態】
以下、図１〜図３に基づいて本発明の一実施形態を説明する。
【００１０】
図１は本発明の汚れ防護パネルを構成する金属板の形状を示している。図示のように、この金属板１は、板厚０．３〜０．５ｍｍ程の極薄い正四角形を成すステンレス製（例えば、ＳＵＳ４３０）の平板であり、この平板の連続する２辺に段部２が形成されている。裏面の２カ所には、図１（ｂ）に示すように表面に両面テープ４を貼り付けた長方形の磁石３（例えば、フェライト磁石３）が対角線上の位置に磁力により吸着されている。
【００１１】
図２は上記構成の金属板１を複数枚用いて、タイルＴ貼りの壁面Ｗに汚れ防護パネルを構成した状態を示している。
図示のように、本実施形態では、金属板１のサイズを約２０ｃｍ角とし、１枚の金属板１で１０ｃｍ角のタイルＴを４枚を覆えるようにしてある。従って、金属板１の縁部、即ち、金属板同士の繋ぎ目とタイルＴの目地Ｔ１とが常に同一線上に重なるようになる。
【００１２】
本発明の汚れ防護パネルの取り付けは、先ず、汚れの付着を防止したい壁面部分の一部に当たるタイル４枚を１ブロックとし、両面テープ４の剥離紙を取り除いて金属板１の裏面に吸着されている２個の磁石３、３を該当ブロックのタイルＴの対角線上に貼着する。この磁石３に吸着された状態で１枚目の金属板１は壁面Ｗ（タイルＴの表面）に固着される。この際、金属板１の段部２が他の金属板１が連接される位置に向くようにしておく。即ち、図２の場合では、金属板１の左辺と上辺に段部２が来るようにセットされる。
尚、金属板１はステンレス製であるから磁石３の吸着性が良く、よって、壁面Ｗ（タイルＴ）への固着は安定している。
【００１３】
次に、２枚目の金属板１については、段部２の無い辺（図２では、金属板１の右辺と上辺）が前の金属板１の段部２に重なるようにセットする。こうすることにより、図３の要部拡大図に示すように、金属板１と他の金属板１との繋ぎの部分、即ち、タイルＴの目地Ｔ１に当たる部分が相互の金属板１で２重に覆われることになり、これにより、飛び散った油等、汚れの原因が金属板同士の繋ぎ目から下地のタイル面に漏れることが防止される。
また、本実施形態では、磁石３の高さと金属板１の縁の高さを合わせ、タイル面との隙間を極力無くすようにして、汚れ防止効果を向上している。
【００１４】
上記要領で、複数枚の金属板１を使用して壁面の所望の部分を順次覆っていき、汚れの付着を防護したい領域を覆い尽くして、汚れ防護パネルが形成される。
【００１５】
このように、本発明の汚れ防護パネルは、壁面Ｗを細かく区分けして覆う複数の金属板１で構成されているため、広い壁面Ｗの内、例えば、レンジ周辺部のように、調理の際の煙や油の飛び散り等によって特に汚れが付着し易い部分のみを自由に覆うことができる。また、壁面Ｗへの固着手段として磁石３を用い、個々の金属板１を着脱自在としてあるから、汚れ防護パネルの内で、特に汚れの激しい部分の金属板１だけを取り外して清掃できるので清掃は容易である。
加えて、ステンレス製であるから、比較的汚れが付着し難く、付着した汚れも容易に清掃できると共に、ステンレス板の光沢で見栄えも良く、美観を損ねることもない。従って、こまめに清掃することにより、長期に亘って繰り返し綺麗に使用することができる。
尚、金属板１として、上記したステンレス板の他、表面にフッ素加工等を施した鉄板を用いても良い。
【００１６】
また、金属板１のサイズは略２０ｃｍ角と小さく形成したから、適当な時期に食器類等と一緒に食器洗い機で洗浄することも勿論可能であり、これにより、清掃の手間を省くことができる。
【００１７】
以上、本実施形態では、タイル貼りの壁面に汚れ防護パネルを取り付ける場合を説明したが、本発明の汚れ防護パネルの取付対象がタイル面に限定されるものではないことは言うまでもない。
【００１８】
【発明の効果】
以上説明したように、請求項１に記載の本発明によれば、壁面に貼着した磁石と、磁石に吸着されて壁面を細かく区分けして覆う複数の角状金属板とで構成したので、広い壁面の内、特に汚れの付着し易い部分のみを自由に覆うことができ、且つ、個々の角状金属板は磁石により着脱自在であるから、汚れの激しい部分のみを取り外して簡単に清掃できる。また、角状金属板のサイズは小さく、食器等と一緒に食器洗い機で洗浄することができるため、面倒な清掃の手間を省くことができる。
【００１９】
また、請求項２に記載の本発明によれば、前記角状金属板の所定の縁部に段部を設け、隣接する角状金属板の縁部が相互に重なるように構成したので、相接する角状金属板の繋ぎ目が２重構造となるから、汚れの原因が金属板同士の繋ぎ目から下地の壁面に漏れることが防止できる。
【００２０】
また、請求項３に記載の本発明によれば、前記角状金属板としてステンレス板、またはフッ素コーティング等の表面加工を施した鉄板を用いたので、磁石の付きも良く、壁面への固着は安定しており、且つ、ステンレス素材は比較的汚れが付着し難く、付着した汚れは容易に清掃することができる。また、ステンレス素材の重厚な光沢で見栄えも良く、美観を損ねることもない。
【図面の簡単な説明】
【図１】本発明の汚れ防護パネルを構成する金属板を示し、（ａ）は前面斜視図、（ｂ）は裏面斜視図。
【図２】図１の金属板を用いた防護パネルの壁面への取り付けを示す斜視図。
【図３】図２の断面図および要部の拡大断面図。
【符号の説明】
１　角状金属板（金属板）
２　段部
３　磁石
Ｗ　壁面
【図１】
2004053226.tif 000003
【図２】
2004053226.tif 000004
【図３】
2004053226.tif 000005